(57)【特許請求の範囲】
【請求項１】
スマートカードのためのインターフェースと、
前記スマートカードのための最大電力供給値を規定すると共に、該スマートカードに該最大電力供給値を通知するように動作可能なプロセッサと、
前記規定された最大電力供給値までの電力を前記スマートカードに提供するように動作可能な電力回路と、
を備える移動デバイスであって、
前記プロセッサは前記スマートカードのための前記最大電力供給値を変更すると共に、該スマートカードに新たな最大電力供給値を通知するように動作可能であり、前記電力回路は前記新たな最大電力供給値までの電力を前記スマートカードに提供するように動作可能であり、
前記プロセッサは、前記最大電力値を前記スマートカードと再ネゴシエートするように動作可能であり、
前記プロセッサは、前記最大電力供給値の前記再ネゴシエーションをトリガーするように動作可能であり、
前記スマートカードの前記動作をモニタリングする手段を備え、前記プロセッサは前記スマートカードの前記モニタリングされた動作に応じて前記再ネゴシエーションをトリガーするように動作可能である移動デバイス。
【請求項２】
前記移動デバイスは、該移動デバイスに電力を提供するバッテリの残りの電力レベルをモニタリングする手段を備え、前記プロセッサは、前記バッテリの前記モニタリングされた残りの電力レベルに応じて前記再ネゴシエーションをトリガーするように動作可能である請求項１に記載の移動デバイス。
【請求項３】
前記プロセッサは、前記スマートカードに前記新たな最大電力供給値を通知するのに応じて、前記スマートカードから現行の最大電力供給値を用いる追加時間の要求を受信するように動作可能であり、前記プロセッサは前記要求された追加時間を付与又は拒否するように動作可能である請求項１に記載の移動デバイス。
【請求項４】
前記プロセッサは、前記要求された追加時間の後に前記電力回路が前記新たな最大電力供給値までの電力を前記スマートカードに提供するよう前記電力回路を制御するように動作可能である請求項３に記載の移動デバイス。
【請求項５】
前記プロセッサは、前記スマートカードから受信した要求に応じて前記最大電力供給値を再ネゴシエートするように動作可能である請求項１に記載の移動デバイス。
【請求項６】
前記受信した要求は、前記スマートカード上で実行されるプロセスの詳細、及び該プロセスの電力需要の指示を含み、前記プロセッサは、前記電力需要、及び前記移動デバイスに電力を提供するバッテリの残りの電力レベルに依拠して、前記要求された新たな最大電力供給値を提供するか否かを判断するように動作可能である請求項５に記載の移動デバイス。
【請求項７】
前記プロセッサは、前記スマートカードが前記新たな値を受理した後に前記電力回路が前記新たな最大電力供給値までの電力を前記スマートカードに提供するよう前記電力回路を制御するように動作可能である請求項５又は６に記載の移動デバイス。
【請求項８】
前記プロセッサは、ネゴシエーションなしで前記スマートカードのための前記最大電力値を変更するように動作可能である請求項１に記載の移動デバイス。
【請求項９】
スマートカードのためのインターフェースと、
前記スマートカードのための最大電力供給値を規定すると共に、該スマートカードに該最大電力供給値を通知するように動作可能なプロセッサと、
前記規定された最大電力供給値までの電力を前記スマートカードに提供するように動作可能な電力回路と、
を備える移動デバイスであって、
前記プロセッサは前記スマートカードのための前記最大電力供給値を変更すると共に、該スマートカードに新たな最大電力供給値を通知するように動作可能であり、前記電力回路は前記新たな最大電力供給値までの電力を前記スマートカードに提供するように動作可能であり、
前記プロセッサは、前記最大電力値を前記スマートカードと再ネゴシエートするように動作可能であり、
前記プロセッサは、前記最大電力供給値の前記再ネゴシエーションをトリガーするように動作可能であり、
前記プロセッサは、前記スマートカードに前記新たな最大電力供給値を通知するのに応じて、前記スマートカードから現行の最大電力供給値を用いる追加時間の要求を受信するように動作可能であり、前記プロセッサは前記要求された追加時間を付与又は拒否するように動作可能である移動デバイス。
【請求項１０】
移動デバイスによって実行される方法であって、
前記移動デバイスに関連付けられたスマートカードのための最大電力供給値を規定すること、
前記スマートカードに前記最大電力供給値を通知すること、
前記関連付けられたスマートカードに供給される電力が前記規定された最大電力供給値を超えないように該供給される電力を制御すること、
前記関連付けられたスマートカードのための前記最大電力供給値を変更すること、
前記関連付けられたスマートカードに新たな最大電力供給値を通知すること、及び
前記関連付けられたスマートカードに供給される前記電力が前記新たな最大電力供給値を超えないように前記制御するステップを変更すること、
前記変更の前に前記新たな最大電力値を前記スマートカードと再ネゴシエートすることをさらに含み、
前記移動デバイスは前記最大電力供給値の前記再ネゴシエーションをトリガーし、
前記スマートカードの前記動作をモニタリングすることをさらに含み、
前記トリガーは、前記スマートカードの前記モニタリングされた動作に応じて実行される方法。
【請求項１１】
前記移動デバイスに電力を提供するバッテリの残りの電力レベルをモニタリングすることをさらに含み、
前記トリガーは、前記バッテリの前記モニタリングされた残りの電力レベルに応じて実行される請求項１０に記載の方法。
【請求項１２】
前記スマートカードから現行の最大電力供給値を用いる追加時間の要求を受信すること、及び
前記要求された追加時間を付与又は拒否すること、
をさらに含む請求項１０に記載の方法。
【請求項１３】
前記制御は、前記要求された追加時間の後に、前記新たな最大電力供給値までの電力を前記スマートカードに提供する請求項１２に記載の方法。
【請求項１４】
前記再ネゴシエーションは、前記スマートカードから受信した要求に応じて実行される請求項１０に記載の方法。
【請求項１５】
前記受信した要求は、前記スマーカード上で実行されるプロセスの詳細、及び該プロセスの電力需要の指示を含み、前記方法は、前記電力需要、及び前記移動デバイスに電力を提供するバッテリの残りの電力レベルに依拠して、前記要求された新たな最大電力供給値を提供するか否かを判断することを含む請求項１４に記載の方法。
【請求項１６】
前記制御の前記変更は、前記スマートカードが前記新たな最大電力供給値を受理した後に実行される請求項１４又は１５に記載の方法。
【請求項１７】
前記変更は、ネゴシエーションなしで前記スマートカードの前記最大電力値を変更する請求項１０に記載の方法。
【請求項１８】
移動デバイスによって実行される方法であって、
前記移動デバイスに関連付けられたスマートカードのための最大電力供給値を規定すること、
前記スマートカードに前記最大電力供給値を通知すること、
前記関連付けられたスマートカードに供給される電力が前記規定された最大電力供給値を超えないように該供給される電力を制御すること、
前記関連付けられたスマートカードのための前記最大電力供給値を変更すること、
前記関連付けられたスマートカードに新たな最大電力供給値を通知すること、及び
前記関連付けられたスマートカードに供給される前記電力が前記新たな最大電力供給値を超えないように前記制御するステップを変更すること、
前記変更の前に前記新たな最大電力値を前記スマートカードと再ネゴシエートすることをさらに含み、
前記移動デバイスは前記最大電力供給値の前記再ネゴシエーションをトリガーし、
前記スマートカードから現行の最大電力供給値を用いる追加時間の要求を受信すること、及び
前記要求された追加時間を付与又は拒否すること、
をさらに含む方法。
【発明の詳細な説明】
【技術分野】
【０００１】
本発明は、通信機器、特に汎用集積回路カード（ＵＩＣＣ）を内部に有する移動機器（ＭＥ）、及びＭＥとＵＩＣＣとの間で電力要件がネゴシエートされる方法に関する。本発明は、移動機器、ＵＩＣＣ、及びそれらにおいて実行される方法にも関する。
【０００２】
本出願は、２００９年１月５日付けで出願された英国特許出願第０９０００７６．１号に基づくと共に該特許出願からの優先権の利益を主張する。該特許出願の開示は参照によりその全体が本明細書に援用される。
【背景技術】
【０００３】
移動電話等のＭＥは、中でも、コアネットワークに対しユーザーを識別するためのセキュアなデータを保持するＵＩＣＣを備える。ＵＩＣＣは、複数のソフトウェアアプリケーションを実行することができる、内蔵型のマイクロプロセッサ及びメモリを有するスマートカードである。ＵＩＣＣはＭＥ内のバッテリによって電力供給される。標準規格設定組織ＥＴＳＩは、ＭＥと該ＭＥのＵＩＣＣとの間のインタラクションに関するその標準規格文書のリリース７（ＴＳ１０２  ２２１、ＴＳ１０２  ６００及びＴＳ１０２  ２２３を含む）を仕上げる過程にある。この標準規格公式文書は、ＭＥが起動されたときに、何らかのアプリケーションが選択／アクティベートされる前に、該ＭＥがＵＩＣＣに利用可能になる最大電力供給をネゴシエートすることを指定している。この最大値は、一旦規定されると、ＭＥがリセットされるまで固定され、それまではＵＩＣＣは指定された最大電力をいつでも自由に引き出すことができる。本発明者らは、この構成が最適であるとはいえず、バッテリ寿命を大幅に短縮し得ることを認識している。
【発明の概要】
【発明が解決しようとする課題】
【０００４】
本発明は、アクティブなＵＩＣＣアプリケーションセッション中に、システムをリセットすることなくＵＩＣＣの電力要件を動的に再ネゴシエートすることができる代替的な手法を提案する。
【課題を解決するための手段】
【０００５】
１つの態様によれば、本発明は、スマートカードを受け入れるためのインターフェースと、前記スマートカードのための（非ゼロの）最大電力供給値を規定すると共に、該スマートカードに該最大電力供給値を通知するように動作可能なプロセッサと、前記規定された最大電力供給値までの電力を前記インターフェースを介して前記スマートカードに提供するように動作可能な電力回路とを備える移動デバイスであって、前記プロセッサは前記スマートカードのための前記最大電力供給値を変更すると共に、前記スマートカードに新たな（非ゼロの）最大電力供給値を通知するように動作可能である。このようにして、前記スマートカードのための前記最大電力供給値（通常、電流の最大値）を、前記移動デバイスにおける環境変化（たとえばバッテリ電力が低くなった場合）又はスマートカード内の環境変化（たとえば前記スマートカード上で現行のプロセスが終了される場合又は新たなプロセスが実行される場合）と共に動的に変更することができる。
【０００６】
これによって、前記ＭＥが、
−より多くの電力を、実際に必要とするとき（たとえばアプリケーションが前記ＵＩＣＣ側で集中処理を必要とする、アプリケーションが前記ＵＩＣＣ内の高密度メモリに頻繁にアクセスする、アプリケーションが前記ＭＥ／ＵＩＣＣインターフェースを介する多くのデータトラフィックを生成する等）に前記ＵＩＣＣに提供すること、
−ＵＩＣＣ電力消費を、
・基本ＵＩＣＣアプリケーション動作（たとえばＡＰＤＵを送信／受信する）
・ＭＥ側により優先度の高いアプリケーションがある（これらのＭＥアプリケーションのために電力を節減する）
・バッテリがほとんどない
・その他
の場合に低減すること、
によってＵＩＣＣ電力消費を最適化することが可能になる。
【０００７】
上記の手法に伴う主要な利点のうちの１つは、前記ＭＥがアクティブなＵＩＣＣアプリケーションセッション中に前記ＵＩＣＣ電力消費の実際の制御を与えられることである。
【０００８】
前記プロセッサは前記スマートカードと前記最大電力値を再ネゴシエートしてもよく、ネゴシエーションなしで新たな最大電力供給値を規定してもよい。ネゴシエーションが存在するとき、該ネゴシエーションは、前記スマートカード又は前記移動デバイスによって始動することができる。前記移動デバイスは、電力を前記移動デバイスに提供するバッテリの残りの電力レベルをモニタリングする手段を備えることができ、該バッテリの該モニタリングされた残りの電力レベルに応じて（たとえば該レベルが閾値量を下回るとき）再ネゴシエーションをトリガーすることができる。前記移動デバイスは、前記スマートカードの動作をモニタリングする手段も有することができ、該スマートカードのモニタリングされた動作に応じて再ネゴシエーションをトリガーすることができる。前記モニタリングする手段は、たとえば前記スマートカード上で実行されているプロセスが前記インターフェースを介して多くのデータトラフィックを生成しているか否かをモニタリングすることができる。
【０００９】
前記スマートカードは、前記移動デバイスから新たな最大電力供給値を受信すると、現行の最大電力供給値を用いる追加時間を要求する場合があり（たとえば前記スマートカード上で実行されているプロセスを終了させる時間を前記スマートカードに与えるため）、この場合、前記移動デバイスは前記要求された追加時間を付与又は拒否する。前記追加時間の要求が許可される場合、前記新たな電力供給値は追加時間が満了した後に課される。
【００１０】
前記スマートカードが再ネゴシエーションを開始するとき、受信される前記要求は、前記スマートカード上で実行されるプロセスの詳細及び該プロセスの電力需要の指示を含むことができる。この場合、前記プロセッサは、電力需要、並びに移動デバイス（及びしたがって前記スマートカード）に電力を提供する前記バッテリの残りの電力レベルに依拠して、前記要求された新たな最大電力供給値を提供するか否かを判断することができる。
【００１１】
前記現行の最大電力供給値から前記新たな最大電力供給値への切り替えは、好ましくは前記スマートカードが前記移動デバイスに受理メッセージを送信した後に実行される。
【００１２】
本発明は、移動デバイスと共に動作可能なスマートカードも提供し、該スマートカードは、
移動デバイスとインターフェースするためのインターフェースと、
前記移動デバイスから最大電力供給値を受信するように動作可能であると共に、該移動デバイスによって供給される電力範囲内で前記スマートカード上のプロセスを実行させるように動作可能なプロセッサと、
を備え、
前記プロセッサは、前記移動デバイスから変更された最大電力供給値を受信するように動作可能であると共に、それに応じて、前記移動デバイスによって供給される新たな電力範囲内で前記スマートカード上のプロセスを実行させるように動作可能である。
【００１３】
本発明は、移動デバイスによって実行される方法も提供し、該方法は、
前記移動デバイスに関連付けられたスマートカードのための最大電力供給値を規定すること、
前記スマートカードに前記最大電力供給値を通知すること、
前記関連付けられたスマートカードに供給される電力が前記規定された最大電力供給値を超えないように該供給される電力を制御すること、
前記関連付けられたスマートカードのための前記最大電力供給値を変更すること、
前記関連付けられたスマートカードに新たな最大電力供給値を通知すること、及び
前記関連付けられたスマートカードに供給される前記電力が前記新たな最大電力供給値を超えないように前記制御するステップを変更すること、
を含む。
【００１４】
本発明は、移動デバイスと共に動作可能なスマートカードによって実行される方法も提供し、該方法は、
前記移動デバイスから最大電力供給値を受信すること、
前記移動デバイスによって供給される電力範囲内で前記スマートカード上のプロセスを実行するための電力を前記移動デバイスから引き込むこと、
前記移動デバイスから変更された最大電力供給値を受信すること、及び
前記移動デバイスによって供給される前記新たな電力範囲内で前記スマートカード上のプロセスを実行させること、
を含む。
【００１５】
本発明は、上記の方法を実行するためのコンピューター実施可能命令も提供する。これらの命令は、ＣＤ−ＲＯＭ等のような記録媒体上に提供することができる。
【００１６】
本発明の別の態様は、関連付けられたスマートカードと共に用いるための移動デバイスも提供し、該デバイスは、
前記スマートカードとインターフェースするためのスマートカードインターフェースと、
電源とインターフェースするための電源インターフェースと、
スマートカードに提供される電力が規定された最大電力供給値を超えないように該電力を制御するための、前記スマートカードインターフェースと前記電源インターフェースとの間に結合された電源制御回路と、
前記最大電力供給値を動的に変更するように前記電源制御回路を制御するように動作可能なプロセッサと、
を備える。
【００１７】
本発明のこれらの態様及び他の態様は、添付の図面を参照して説明される例示的な実施形態の以下の詳細な説明から明らかとなろう。
【図面の簡単な説明】
【００１８】
【図１】ＭＥ及びＵＩＣＣの主要構成要素を示すブロック図である。
【図２】ＭＥが起動された直後のＭＥとＵＩＣＣとの間の通信を示す通信タイミング図である。
【図３】ＵＩＣＣが電力供給再ネゴシエーションの始動を所望するときの、ＭＥとＵＩＣＣとの間の通信を示す通信タイミング図である。
【図４ａ】ＭＥが電力供給再ネゴシエーションの始動を所望するときの、ＭＥとＵＩＣＣとの間の通信を示す通信タイミング図である。
【図４ｂ】ＭＥがネゴシエーションなしで最大利用可能電力供給を強制することを所望するときの、ＭＥとＵＩＣＣとの間の通信を示す通信タイミング図である。
【発明を実施するための形態】
【００１９】
（概観）
以下でより詳細に説明されるように、この実施形態の主要な着想は、ＵＩＣＣ及びＭＥ（この実施形態では携帯電話）が、アクティブなＵＩＣＣアプリケーション（たとえばＵＳＩＭアプリケーション）セッション中に、システムをリセットすることなく動的に最大ＵＩＣＣ電力消費値を再ネゴシエートすることを可能にするメカニズムを導入することである。
【００２０】
これは、ＭＥが、
−より多くの電力を、実際に必要とするとき（たとえばアプリケーションがＵＩＣＣ側で集中処理を必要とする、アプリケーションがＵＩＣＣ内の高密度メモリに頻繁にアクセスする、アプリケーションがＭＥ／ＵＩＣＣインターフェースを介する多くのデータトラフィックを生成する等）にＵＩＣＣに提供すること、
−ＵＩＣＣ電力消費を、
・基本ＵＩＣＣアプリケーション動作（たとえばＡＰＤＵを送信／受信する）
・ＭＥ側により優先度の高いアプリケーションがある（これらのＭＥアプリケーションのために電力を節減する）
・バッテリがほとんどない
・その他
の場合に低減すること、
によってＵＩＣＣ電力消費を最適化することを可能にすることができる。
【００２１】
（実施形態）
本発明の実施形態を添付の図面を参照して説明する。
【００２２】
図１は、この実施形態において用いられるＭＥ３及びＵＩＣＣ５の主要構成要素を示すブロック図である。
【００２３】
図示されるように、ＭＥは、１つ又は複数のアンテナ２５を介してリモート基地局から信号を送受信するように動作可能な送受信機回路２３を備える。図示されるように、送受信機回路は通常の形でラウドスピーカー２７及びマイクロフォン２９に接続され、ユーザーが呼を発信及び受信することを可能にする。ＭＥは、ＭＥの動作を制御すると共にディスプレイ３３及びキーパッド３５を介したＭＥとのユーザーインタラクションを制御するためのプロセッサ３１も備える。プロセッサ３１は、メモリ３７内に格納されたソフトウェア命令に従って動作する。図示されるように、これらのソフトウェア命令は、中でも、オペレーティングシステム３９、ＵＩＣＣモジュール４１、電力配分ポリシーマネージャー（ＰＡＰＭ）モジュール４２、及び複数のアプリケーションモジュール４３を含む。この実施形態では、ＵＩＣＣモジュール４１はＭＥ３とＵＩＣＣ５との間のインタラクションを制御するためのものである。ＵＩＣＣモジュール４１及びＰＡＰＭモジュール４２はＭＥ３内の別個のソフトウェアモジュールとして示されているが、他の実施形態では、それらはオペレーティングシステム３９の一部として提供されてもよい、ＭＥ３は、ＵＩＣＣ５への物理インターフェースを提供するＵＩＣＣインターフェース４５、ＵＩＣＣインターフェース４５を通じてＵＩＣＣに調整された電力供給を提供する電流調整器４７、及びＭＥを該ＭＥのバッテリ（図示せず）に接続するバッテリインターフェース４９も備える。以下でより詳細に説明されるように、ＰＡＰＭモジュール４２は、電流調整器４７を制御して、ＵＩＣＣ５に利用可能にされる最大電力を規定する。ＰＡＰＭモジュール４２は、この最大電力値を求めるとき、中でも接続されたバッテリ内の残りの充電を考慮する。したがって、バッテリインターフェース４９がプロセッサ３１に接続され、ＰＡＰＭモジュール４２がこの確定を行うことを可能にする。
【００２４】
図１に示すように、ＵＩＣＣ５は、ＭＥ３への物理インターフェースを提供するためのＭＥインターフェース５１を備える。ＵＩＣＣ５はメモリ５５内に格納されたソフトウェア命令に従って動作するプロセッサ５３も備える。図示されるように、これらのソフトウェア命令は、オペレーティングシステム５６、ＵＳＡＴモジュール５７（ユニバーサルＳＩＭ（加入者識別モジュール）アプリケーションツールキット）、及び複数のアプリケーション５９を含む。ＵＳＡＴモジュール５７は、アプリケーション５９が該アプリケーションによって要求される特定のメカニズム（複数可）をサポートするネットワーク内のＭＥ３又はリモートエンティティとインタラクトし、共に動作することを可能にするメカニズムを提供する。
【００２５】
動作
これより、図２〜図５を参照してＭＥ３及びＵＩＣＣ５の動作を説明する。
【００２６】
図２に示すように、ＭＥ３は起動時に、ステップｓ１においてＵＩＣＣ５にＶｃｃを供給し、それに応答して、ＵＩＣＣ５はステップ３において自身のＡＴＲ（リセット応答）メッセージをＭＥ３に提供する。ＡＴＲメッセージは、ＨＳＰ（ＵＳＢ）、セキュアチャネル、セキュアＡＰＤＵ等の、ＵＩＣＣ５によってサポートされる機能のリストを含む。この実施形態では、ＡＴＲメッセージは、ＵＩＣＣ５が最大利用可能電力供給値の動的再ネゴシエーションを実行することができるか否かをＭＥ３に通知するパラメーターを含む。次に、ステップｓ５において、ＭＥ３はＵＩＣＣ５に端末能力メッセージを送信することによって自身の能力をＵＩＣＣ５に通知する。このメッセージは、最初に最大利用可能電力供給値をセットし、ＭＥ３が最大利用可能電力供給値の動的再ネゴシエーションを実行することができる場合、端末能力メッセージはこの能力をＵＩＣＣ５に通知するパラメーターも含む。これは、たとえば現在のＰ１パラメーター又はＰ２パラメーター（共に本発明以前に規定された端末能力コマンドにおいて「００」と規定されている）の符号化を更新することによって行うことができる。
【００２７】
【表１】
0005545453.tif 000002
【００２８】
ＵＩＣＣ始動の再ネゴシエーション
ＵＩＣＣ５は、通常使用中、アプリケーション５９を実行し、そのオペレーティングシステム５５に従って動作する。単に実行するために又は最適な形で実行するために現在提供されている電力よりも多くの電力を要求するアプリケーション５９がＵＩＣＣ５上で起動される場合、オペレーティングシステム５５はＵＳＡＴモジュール５７に新たなコマンドを生成及び出力させ、このコマンドは、図３のステップｓ１１に示すようにＭＥ３に送信される。この新たなコマンド（電力要求）は、実行されるサービス／アプリケーションを、それらの所望の電力値（たとえばアプリケーション１の場合３０ｍＡ、アプリケーション２の場合４０ｍＡ等）及び／又は電力消費クラス（電力消費値の範囲、たとえば３０ｍＡ〜４０ｍＡを規定する）と共に列挙する。
【００２９】
新たなプロアクティブコマンド：「電力要求」
【００３０】
【表２】
0005545453.tif 000003
【００３１】
注記：この表は、ＥＴＳＩ  ＴＳ１０２  ２２３（現在のバージョン８．１．０）において規定されるような他の既存のプロアクティブコマンドのような形式にされる。“Ｍ／Ｏ／Ｃ”、“ｍｉｎ”等の詳細な説明について、読み手はＥＴＳＩ  ＴＳ１０２  ２２３を参照されたい。
【００３２】
新たな電力要求コマンドは以下のパラメーターを含む。
−ＴＳ１０２  ２２３において規定されるようにプロアクティブＵＩＣＣコマンドタグ＝「Ｄ０」、
−長さ＝コマンドの残りの総データ長
−「コマンドタイプ」フィールドの新たな値を含むコマンド詳細
・コマンドタイプ＝０ｘ７１＝電力要求
注記：０ｘ７１は例として与えられ、任意の他の自由な（関連の）値を用いることができる
−ＴＳ１０２  ２２３の条項８．７において規定されるデバイスアイデンティティ
−以下の符号化を有するサービス電力
【００３３】
【表３】
0005545453.tif 000004
【００３４】
−サービス電力タグ＝「５３」又は「Ｄ３」（例として与えられ、任意の他の自由な（関連の）値を用いることができる）
−長さ＝サービス電力ＢＥＲ  ＴＬＶの全長
−サービス電力ＢＥＲ−ＴＬＶ符号化
・サービス名タグ＝０ｘ５５（任意の他の利用可能値を用いることができる）
・サービス名長さ＝以下のデータの全長
・必要とされる電力クラス又は値：「０１」〜「０９」はクラスを示し、「０Ａ」〜「６４」はｍＡ単位の１６進値（「サービス名長さ」フィールドに続く最初のバイトにおいて符号化される）を示す
・サービス名：テキスト文字列。
【００３５】
いくつかのサービス／クラス又はサービス／値の組が存在する場合、ＢＥＲ  ＴＬＶは以下のように符号化することができる。
【００３６】
【表４】
0005545453.tif 000005
【００３７】
電力供給のいくつかのクラスを規定することができる。以下のようにいくつかを規定することが提案されている（他のものも可能である）、
クラス１：１０ｍＡ〜２０ｍＡ
クラス２：２０ｍＡ〜３０ｍＡ
クラス３：３０ｍＡ〜４０ｍＡ
クラス４：４０ｍＡ〜５０ｍＡ
クラス５：５０ｍＡ〜６０ｍＡ
クラス６：６０ｍＡ〜７０ｍＡ
クラス７：７０ｍＡ〜８０ｍＡ
クラス８：８０ｍＡ〜９０ｍＡ
クラス９：９０ｍＡ〜１００ｍＡ
【００３８】
ＭＥ３内のＵＩＣＣモジュール４１は、この電力要求コマンドを受信すると、電力配分ポリシーマネージャー（ＰＡＰＭ）モジュール４２を起動する。ＰＡＰＭモジュール４２は、ステップｓ１３において、要求された電力をＵＩＣＣ５に供給することができるか否かに関して判定を行う。ＰＡＰＭモジュール４２は、この判断を行うとき、通常、残りのバッテリ充電及びＭＥ３上で実行されている任意のアプリケーション４３の優先度を考慮する。ＰＡＰＭモジュール４２はＵＩＣＣモジュール４１に自身の判定を通知し、新たな最大利用可能電力供給値を特定する。次に、ＵＩＣＣモジュール４１は、ステップｓ１５において、新たな最大電力供給値を特定する端末応答をＵＩＣＣ５に送信する。
【００３９】
【表５】
0005545453.tif 000006
【００４０】
「結果」データオブジェクトは、以下で説明するような電力要求コマンド用の自身の「追加情報」フィールドに、新たに配分された最大利用可能電力供給値を含める。
【００４１】
電力要求のためのさらなる情報
一般的な結果「コマンド実行が成功した」の場合、ＭＥ３はさらなる情報を提供する。その第１バイトが以下に規定される。
・「０Ａ」〜「６４」＝ｍＡ単位の最大利用可能電力供給（１６進値）
【００４２】
注記：端末応答におけるパラメーターの詳細はＥＴＳＩ  ＴＳ１０２  ２２３において規定され、上記の表の条項もこの同じ仕様書を指す。
【００４３】
ＵＳＡＴモジュール５７は、端末応答を受信すると、ステップｓ１７において適切な状態語肯定応答で応答する。次に、ＵＩＣＣモジュール４１はＰＡＰＭモジュール４２に肯定応答を通知し、それによってＰＡＰＭモジュール４２は電流調整器４７を制御することができ、それによってＭＥ３は新たに規定された最大電力供給値までの電流を送出することができる。
【００４４】
ＰＡＰＭモジュール４２が、要求したＵＩＣＣアプリケーションに十分な電力が存在しないと判断する場合、新たな最大電力供給値は前回の値と同じになる。ＰＡＰＭモジュール４２がＵＩＣＣ５からの要求を満たす十分な電力が存在すると判断する場合、新たな最大電力供給値がＵＩＣＣ５に与えられ、ＵＩＣＣ５はそれに従って全ての所望のアプリケーションを実行する。
【００４５】
ＭＥ始動の再ネゴシエーション
ＰＡＰＭモジュール４２は、通常使用中、（図４ａに示すステップｓ２１において）取り付けられたバッテリの残りの充電をモニタリングし、そのプログラミングに従って、ＵＩＣＣ５に供給される最大電力供給値を変更すべきか否かを判断することができる。この判断の基礎を成すポリシーは、複数の異なる形で作成することができる。１つの例として、残りの充電が複数の低減閾値未満に降下する毎に、ＰＡＰＭモジュール４２はＵＩＣＣ５に配分される最大電力供給値を低減することを判定することができる。最大電力供給値を変更する判定が行われると、ＰＡＰＭモジュール４２は、ＵＩＣＣモジュール４１がＵＩＣＣ５に提供された最大電力供給値の再ネゴシエーションを始動するようにトリガーする。また、ＭＥのオペレーティングシステム３９は、ＵＩＣＣ５のアクティビティをモニタリングし（ステップ２３）、たとえば現在のＵＩＣＣアクティビティが現在供給されている値を必要としない場合、又はより高い優先度のアプリケーションがＭＥ３上で実行されているかもうすぐ実行されることが検出される場合に、ＵＩＣＣモジュール４１が最大電力供給値の再ネゴシエーションを始動するようにトリガーすることができる。いずれの場合でも、ＵＩＣＣモジュール４１はステップｓ２５において電力管理コマンドを生成及び送信するようにトリガーされる。このコマンドは新たなＡＰＤＵコマンドであってもよく、端末能力ＡＰＤＵコマンドの再利用であってもよく、該コマンドにおいてＭＥ３は新たな最大電力供給値を指示する。所望の場合、コマンドは変更理由（複数可）を含んでもよい。この実施形態では、ＭＥ３が最大利用可能電力供給値を変更することを可能にするために、以下の新たなＡＰＤＵコマンドが規定される。
【００４６】
【表６】
0005545453.tif 000007
【００４７】
ＵＩＣＣ５は、コマンドを受信すると、新たな値を直接受理してステップ２７においてＭＥ３に０ｘ９０００状態語を送信してもよく、ＵＩＣＣ５が好ましくは現在付与されている最大電力供給値を用いて実行されている任意の進行中の動作を終了するために、ＭＥ３に追加時間期間を要求してもよい。ＵＩＣＣ５は、０ｘ９２ＸＸ状態語を返すことによって追加時間期間を要求することができる。ここで、ｘｘ＝秒単位の要求される追加時間（１６進値）である。任意の他の状態語はＭＥによって無視される場合があり、この場合、ＭＥ３は変更を直接適用することができる。
【００４８】
新たな値がＵＩＣＣ５によって受理される場合、ＭＥ３はステップｓ２９においてＵＩＣＣのための新たな最大電力供給値を設定する。ＵＩＣＣ５がさらなる時間を要求する場合、ＵＩＣＣモジュール４１はＵＩＣＣ５が現行の最大電力供給値を用いて進行中の動作を終了させることを可能にすることができる。この場合、ＵＩＣＣモジュール４１は、ＵＩＣＣ５によって要求された時間期間が満了すると同じ電力管理コマンドを送信する（そしてＵＩＣＣ５は０ｘ９０００状態語を送信することによってその時点でコマンドを受理しなくてはならない）。
【００４９】
ＵＩＣＣモジュール４１は追加時間の要求を拒否する可能性もあり、その場合、ＵＩＣＣモジュール４１は新たなコマンドである電力アラート（図４ｂのステップｓ３１に示される）をＵＩＣＣ５に送信し、ＵＩＣＣ５とネゴシエートすることなく新たな最大電力供給値がＭＥ３によって課されることをＵＩＣＣ５に通知する。このコマンドは、たとえば、バッテリレベルが低く、ＭＥ３が、ＵＩＣＣ５に配分される電力を減少させることによってＭＥ動作のために残りの電力を可能な限り節減することを望むときに用いられる場合がある。図４ｂに示されるように、ＵＩＣＣ５は、この電力アラートコマンドを受信すると、内部的に変更に備え、ステップｓ３３において０ｘ９０００状態語を返すことによって新たな値を受理する。ＭＥ３はこの受理の受信後又は電力アラートコマンドの送信後に新たな最大電力供給レベルを設定してもよい。
【００５０】
【表７】
0005545453.tif 000008
【００５１】
変更形態及び代替形態
上記で詳細な実施形態を説明した。当業者であれば理解するように、上記実施形態において具現化された本発明から依然として利益を受けながら、該実施形態に対する複数の変更形態及び代替形態を作成することができる。
【００５２】
上記の実施形態では、移動電話に基づく電気通信システムが説明された。当業者であれば理解するように、本出願において説明された技法は他の通信システムにおいて用いることができる。他の通信ノード又はデバイスには、たとえば携帯情報端末、携帯電話、ラップトップコンピューター等のようなユーザーデバイスが含まれる場合がある。
【００５３】
上記の実施形態では、複数のソフトウェアモジュールが説明された。当業者であれば理解するように、ソフトウェアモジュールはコンパイルされた形態又はコンパイルされていない形態で提供される場合があり、コンピューターネットワークを介した信号としてＵＩＣＣ若しくはＭＥに、又は記録媒体上に供給される場合がある。さらに、このソフトウェアの一部又は全てによって実行される機能は、１つ又は複数の専用ハードウェア回路を用いて実行されてもよい。しかしながら、ソフトウェアモジュールの使用によって、ＵＩＣＣ５及びＭＥ３の機能を更新するためにＵＩＣＣ５及びＭＥ３を更新するのが容易になるため、ソフトウェアモジュールの使用が好ましい。
【００５４】
上記の実施形態では、ＵＩＣＣは各デバイス上のそれぞれのインターフェースを介してＭＥとインターフェースした。当業者であれば理解するように、これらのインターフェースは物理（接触）型インターフェースであってもよく、無線（非接触）型インターフェースであってもよい。
【００５５】
上記の実施形態において、ＭＥが、ＵＩＣＣの、現行の最大電力供給値での追加時間の要求を受理しないと判定する場合、電力アラートコマンドが用いられた。当業者であれば理解するように、この電力アラートコマンドは、ＭＥが新たな最大電力供給値をＵＩＣＣに強制することを望む場合、いつでも用いることができる。
【００５６】
上記の実施形態において、ＵＩＣＣに与えられる最大電力供給値を制御するために電力調整器が提供された。当業者であれば理解するように、同じ結果を達成するために他の制御回路を用いることができる。たとえば、インターフェースが非接触インターフェースである場合、電力制御回路はＵＩＣＣに電力供給するために生成される磁界又は電界の振幅を制限してもよい。
【００５７】
当業者であれば理解するように、現在提案されている解決法は、いかなるＵＩＣＣ−ＭＥ物理インターフェースの考察事項からも独立して実施することができ、すなわち、ＴＳ１０２  ６００において規定されるようなＵＳＢインターフェース又はＴＳ１０２  ２２１において規定されるようなレガシーインターフェースの双方を介して機能する。ＭＥとＵＩＣＣとの間でＵＳＢインターフェースがアクティベートされる場合、この提案において規定された全ての新たなＡＰＤＵ及びプロアクティブコマンドが、ＵＳＢフォーラムによって規定されたスマートカードＩＣＣＤインターフェースクラスを用いて適用可能となる。レガシーインターフェースがＭＥとＵＩＣＣとの間でアクティベートされる場合、この提案において規定された全ての新たなＡＰＤＵ及びプロアクティブコマンドが、ＴＳ１０２  ２２１及びＴＳ１０２  ２２３において規定された他のコマンドと同様に直接適用可能となる。
【００５８】
この解決法は、ＵＳＢ  ＥＥＭ（イーサネットエミュレーションモード）インターフェースクラスにわたって適用可能となるように拡張することができることにも留意されたい。これが達成される方法は当業者には明らかであり、このため詳細な説明はここでは行わない。
【００５９】
様々な他の変更形態が当業者には明らかであり、ここではこれ以上詳細に説明しない。
【００６０】
（実施例）
実施例１は、
スマートカードのためのインターフェースと、
前記スマートカードのための最大電力供給値を規定すると共に、該スマートカードに該最大電力供給値を通知するように動作可能なプロセッサと、
前記規定された最大電力供給値までの電力を前記スマートカードに提供するように動作可能な電力回路と、
を備える移動デバイスであって、
前記プロセッサは前記スマートカードのための前記最大電力供給値を変更すると共に、該スマートカードに新たな最大電力供給値を通知するように動作可能であり、前記電力回路は前記新たな最大電力供給値までの電力を前記スマートカードに提供するように動作可能である、移動デバイスを説明する。
【００６１】
実施例２は、
前記プロセッサは、前記最大電力値を前記スマートカードと再ネゴシエートするように動作可能である、実施例１に記載の移動デバイスを説明する。
【００６２】
実施例３は、
前記プロセッサは、前記最大電力供給値の前記再ネゴシエーションをトリガーするように動作可能である、実施例２に記載の移動デバイスを説明する。
【００６３】
実施例４は、
前記移動デバイスは、該移動デバイスに電力を提供するバッテリの残りの電力レベルをモニタリングする手段を備え、前記プロセッサは、前記バッテリの前記モニタリングされた残りの電力レベルに応じて前記再ネゴシエーションをトリガーするように動作可能である、実施例３に記載の移動デバイスを説明する。
【００６４】
実施例５は、
前記スマートカードの前記動作をモニタリングする手段を備え、前記プロセッサは前記スマートカードの前記モニタリングされた動作に応じて前記再ネゴシエーションをトリガーするように動作可能である、実施例３又は４に記載の移動デバイスを説明する。
【００６５】
実施例６は、
前記プロセッサは、前記スマートカードに前記新たな最大電力供給値を通知するのに応じて、前記スマートカードから現行の最大電力供給値を用いる追加時間の要求を受信するように動作可能であり、前記プロセッサは前記要求された追加時間を付与又は拒否するように動作可能である、実施例３〜５のいずれか１つに記載の移動デバイスを説明する。
【００６６】
実施例７は、
前記プロセッサは、前記要求された追加時間の後に前記電力回路が前記新たな最大電力供給値までの電力を前記スマートカードに提供するよう前記電力回路を制御するように動作可能である、実施例６に記載の移動デバイスを説明する。
【００６７】
実施例８は、
前記プロセッサは、前記スマートカードから受信した要求に応じて前記最大電力供給値を再ネゴシエートするように動作可能である、実施例２に記載の移動デバイスを説明する。
【００６８】
実施例９は、
前記受信した要求は、前記スマートカード上で実行されるプロセスの詳細、及び該プロセスの電力需要の指示を含み、前記プロセッサは、前記電力需要、及び前記移動デバイスに電力を提供するバッテリの残りの電力レベルに依拠して、前記要求された新たな最大電力供給値を提供するか否かを判断するように動作可能である、実施例８に記載の移動デバイスを説明する。
【００６９】
実施例１０は、
前記プロセッサは、前記スマートカードが前記新たな値を受理した後に前記電力回路が前記新たな最大電力供給値までの電力を前記スマートカードに提供するよう前記電力回路を制御するように動作可能である、実施例８又は９に記載の移動デバイスを説明する。
【００７０】
実施例１１は、
前記プロセッサは、ネゴシエーションなしで前記スマートカードのための前記最大電力値を変更するように動作可能である、実施例１に記載の移動デバイスを説明する。
【００７１】
実施例１２は、
移動デバイスとインターフェースするためのインターフェースと、
前記移動デバイスから最大電力供給値を受信するように動作可能であると共に、該移動デバイスによって供給される電力範囲内で前記スマートカード上のプロセスを実行させるように動作可能なプロセッサと、
を備える、前記移動デバイスと共に動作可能なスマートカードであって、
前記プロセッサは、前記移動デバイスから変更された最大電力供給値を受信するように動作可能であると共に、それに応じて、前記変更された最大電力供給値までの新たな電力範囲内で前記スマートカードにおいてプロセスを実行させるように動作可能である、スマートカードを説明する。
【００７２】
実施例１３は、
前記プロセッサは前記最大電力供給レベルの変更を前記移動デバイスと再ネゴシエートするように動作可能である、実施例１２に記載のスマートカードを説明する。
【００７３】
実施例１４は、
前記再ネゴシエーションは、前記スマートカードに前記変更された最大電力供給値を通知する、前記移動デバイスから受信されるコマンドによって始動される、実施例１３に記載のスマートカードを説明する。
【００７４】
実施例１５は、
前記変更された最大電力供給値を受理するコマンド、又は現行の最大電力供給値での追加時間を要求するコマンドに応答するように動作可能である、実施例１４に記載のスマートカードを説明する。
【００７５】
実施例１６は、
前記再ネゴシエーションは、前記プロセッサが前記移動デバイスに新たな最大電力供給値の要求を送信することによって始動される、実施例１３に記載のスマートカードを説明する。
【００７６】
実施例１７は、
前記プロセッサは、各前記プロセスの電力需要の指示を含む、前記スマートカード上で実行されるプロセスの詳細を含めるように動作可能である、実施例１６に記載のスマートカードを説明する。
【００７７】
実施例１８は、
前記プロセッサは、前記スマートカード上で実行されているか、又は該スマートカード上で実行されることが所望されるプロセスによる電力消費需要における変化に応じて、前記再ネゴシエーションを始動するように動作可能である、実施例１６又は１７に記載のスマートカードを説明する。
【００７８】
実施例１９は、
前記プロセッサは、前記スマートカード上で実行されている現行のプロセスを終了させるためのコールに応じて、又は前記スマートカード上で新たなプロセスを実行するためのコールに応じて、前記再ネゴシエーションを始動するように動作可能である、実施例１６〜１８のいずれか１つに記載のスマートカードを説明する。
【００７９】
実施例２０は、
前記移動デバイスからネゴシエート不能コマンドにおいて前記変更された最大電力供給値を受信するように動作可能であり、前記プロセッサは、前記ネゴシエート不能コマンドの受信に応じて、前記変更された最大電力供給値を受理すると共に、前記スマートカード上で実行されている前記プロセスの実行を変更された電力範囲内に制御するように動作可能である、実施例１２に記載のスマートカードを説明する。
【００８０】
実施例２１は、
移動デバイスによって実行される方法であって、
前記移動デバイスに関連付けられたスマートカードのための最大電力供給値を規定すること、
前記スマートカードに前記最大電力供給値を通知すること、
前記関連付けられたスマートカードに供給される電力が前記規定された最大電力供給値を超えないように該供給される電力を制御すること、
前記関連付けられたスマートカードのための前記最大電力供給値を変更すること、
前記関連付けられたスマートカードに新たな最大電力供給値を通知すること、及び
前記関連付けられたスマートカードに供給される前記電力が前記新たな最大電力供給値を超えないように前記制御するステップを変更すること、
を含む、方法を説明する。
【００８１】
実施例２２は、
前記変更の前に前記新たな最大電力値を前記スマートカードと再ネゴシエートすることをさらに含む、実施例２１に記載の方法を説明する。
【００８２】
実施例２３は、
前記移動デバイスは前記最大電力供給値の前記再ネゴシエーションをトリガーする、実施例２２に記載の方法を説明する。
【００８３】
実施例２４は、
前記移動デバイスに電力を提供するバッテリの残りの電力レベルをモニタリングすることをさらに含み、
前記トリガーは、前記バッテリの前記モニタリングされた残りの電力レベルに応じて実行される、実施例２３に記載の方法を説明する。
【００８４】
実施例２５は、
前記スマートカードの前記動作をモニタリングすることをさらに含み、
前記トリガーは、前記スマートカードの前記モニタリングされた動作に応じて実行される、実施例２３又は２４に記載の方法を説明する。
【００８５】
実施例２６は、
前記スマートカードから現行の最大電力供給値を用いる追加時間の要求を受信すること、及び
前記要求された追加時間を付与又は拒否すること、
をさらに含む、実施例２３〜２５のいずれか１つに記載の方法を説明する。
【００８６】
実施例２７は、
前記制御は、前記要求された追加時間の後に、前記新たな最大電力供給値までの電力を前記スマートカードに提供する、実施例２６に記載の方法を説明する。
【００８７】
実施例２８は、
前記再ネゴシエーションは、前記スマートカードから受信した要求に応じて実行される、実施例２２に記載の方法を説明する。
【００８８】
実施例２９は、
前記受信した要求は、前記スマーカード上で実行されるプロセスの詳細、及び該プロセスの電力需要の指示を含み、前記方法は、前記電力需要、及び前記移動デバイスに電力を提供するバッテリの残りの電力レベルに依拠して、前記要求された新たな最大電力供給値を提供するか否かを判断することを含む、実施例２８に記載の方法を説明する。
【００８９】
実施例３０は、
前記制御の前記変更は、前記スマートカードが前記新たな最大電力供給値を受理した後に実行される、実施例２８又は２９に記載の方法を説明する。
【００９０】
実施例３１は、
前記変更は、ネゴシエーションなしで前記スマートカードの前記最大電力値を変更する、実施例２１に記載の方法を説明する。
【００９１】
実施例３２は、
移動デバイスと共に動作可能なスマートカードによって実行される方法であって、
前記移動デバイスから最大電力供給値を受信すること、
前記移動デバイスから前記スマートカード上のプロセスを実行するための電力を引き込むこと、
前記スマートカード上のプロセスを制御することであって、該プロセスを前記移動デバイスによって提供される電力範囲内で実行させる、制御すること、
前記移動デバイスから変更された最大電力供給値を受信すること、及び
前記スマートカード上のプロセスが、前記移動デバイスによって提供された変更された電力範囲内で実行されることができるように前記制御するステップを変更すること、
を含む、方法を説明する。
【００９２】
実施例３３は、
前記最大電力供給レベルの前記変更を前記移動デバイスと再ネゴシエートすることをさらに含む、実施例３２に記載の方法を説明する。
【００９３】
実施例３４は、
前記再ネゴシエーションは、前記スマートカードに前記変更された最大電力供給値を通知する、前記移動デバイスから受信されるコマンドによって始動される、実施例３３に記載の方法を説明する。
【００９４】
実施例３５は、
前記変更された最大電力供給値を受理するコマンド、又は現行の最大電力供給値での追加時間を要求するコマンドに応答することをさらに含む、実施例３４に記載の方法を説明する。
【００９５】
実施例３６は、
前記再ネゴシエーションは、前記移動デバイスに新たな最大電力供給値の要求を送信することによって始動される、実施例３３に記載の方法を説明する。
【００９６】
実施例３７は、
前記要求は、各前記プロセスの電力需要の指示を含む、前記スマートカード上で実行されるプロセスの詳細を含む、実施例３６に記載の方法を説明する。
【００９７】
実施例３８は、
前記スマートカード上で実行されているか、又は該スマートカード上で実行されることが所望されるプロセスによる電力消費需要における変化に応じて、前記再ネゴシエーションを始動することをさらに含む、実施例３６又は３７に記載の方法を説明する。
【００９８】
実施例３９は、
前記スマートカード上で実行されている現行のプロセスを終了させるためのコールに応じて、又は前記スマートカード上で新たなプロセスを実行するためのコールに応じて、前記再ネゴシエーションを始動することをさらに含む、実施例３６〜３８のいずれか１つに記載の方法を説明する。
【００９９】
実施例４０は、
前記移動デバイスからネゴシエート不能コマンドにおいて前記変更された最大電力供給値を受信すると共に、それに応じて、前記変更された最大電力供給値を受理すると共に、それに従って前記制御を変更することをさらに含む、実施例３２に記載の方法を説明する。
【０１００】
実施例４１は、
プログラム可能なコンピューターデバイスに実施例２１〜４０のいずれか１つに記載の前記方法を実行させるためのコンピューター実施可能命令を含むコンピューター実施可能命令製品を説明する。
【０１０１】
実施例４２は、
移動デバイスと共に動作可能なスマートカードであって、
前記移動デバイスとインターフェースするためのインターフェースと、
起動時に前記移動デバイスにリセット応答（ＡＴＲ）信号を出力するように動作可能であると共に、前記移動デバイスから、該移動デバイスが前記最大電力供給値を再ネゴシエートすることができるか否かを示す端末能力信号を受信するように動作可能なプロセッサであって、前記ＡＴＲ信号は、該スマートカードが以前に前記移動デバイスによって規定された最大電力供給値を再ネゴシエートすることができるか否かを示すパラメーターを含む、プロセッサと、
を備える、スマートカードを説明する。
【０１０２】
実施例４３は、
移動デバイスであって、
スマートカードのためのインターフェースと、
起動時に前記スマートカードに電力を提供し、該スマートカードから該移動デバイスへのリセット応答（ＡＴＲ）信号を受信するように動作可能であると共に、該移動デバイスが前記最大電力供給値を再ネゴシエートすることができるか否かを示す端末能力信号を前記スマートカードに出力するように動作可能なプロセッサであって、前記ＡＴＲ信号は、前記スマートカードが以前に該移動デバイスによって規定された最大電力供給値を再ネゴシエートすることができるか否かを示すパラメーターを含む、プロセッサと、
を備える、移動デバイスを説明する。
【０１０３】
実施例４４は、
リセット応答（ＡＴＲ）信号であって、
該信号を生成したスマートカードが以前に移動デバイスによって規定された最大電力供給値を再ネゴシエートすることができるか否かを示すパラメーターを含む、ＡＴＲ信号を説明する。
【０１０４】
実施例４５は、
端末能力信号であって、
該信号を生成した移動デバイスが、該デバイスからスマートカードに提供された最大電力供給値を再ネゴシエートすることができるか否かを示すパラメーターを含む、端末能力信号を説明する。
【図１】
0005545453.tif 000009
【図２】
0005545453.tif 000010
【図３】
0005545453.tif 000011
【図４ａ】
0005545453.tif 000012
【図４ｂ】
0005545453.tif 000013